(57)【要約】      （修正有）【課題】カード等により利用者を識別するシステムにおいて、カード等を携帯していなくとも、利用者が自身を識別することができるシステムを提供する。【解決手段】管理者が設定する管理識別符号がカード等に保存され、利用者を識別するために使用される。この管理識別符号と利用者が登録した登録識別符号をリンクさせて登録しておくことにより、利用者がカード等を携帯していなくても、登録識別符号を入力すると、管理者システムには管理識別符号が出力される。【選択図】図１
2010182121.tif 000002
【特許請求の範囲】
【請求項１】
入力装置とメモリと演算装置と出力装置を備えた端末装置を用いて、管理者が利用者である個人に対して設定した識別符号と該利用者が自身に対して設定した識別符号を管理する識別符号管理方法において、
前記入力装置を介して、数字、英文字、及び、符号のうちの少なくとも１つを含む識別符号を入力する第１の入力ステップと、
前記演算装置によって、前記第１の入力ステップにて入力した識別符号（以下に「登録識別符号」と称する）と、所定の識別符号（以下に「管理識別符号」と称する）を関連付けて前記メモリに記憶する登録ステップと、
前記登録ステップの後に、前記入力装置を介して、数字、英文字、及び、符号のうちの少なくとも１つを含む識別符号を入力する第２の入力ステップと、
前記演算装置によって、前記メモリに記憶された前記登録識別符号のうち、前記第２の入力ステップによって入力された識別符号と同一の登録識別符号を検索する検索ステップと、
前記演算装置によって、前記検索ステップにより検索された登録識別符号に関連付けられた管理識別符号を読み出す読出しステップと、
前記出力装置を介して、前記読出しステップにて読み出した管理識別符号を出力する出力ステップと、
を含むことを特徴とする識別符号管理方法。
【請求項２】
請求項１記載の識別符号管理方法において、
前記第１の入力ステップと前記登録ステップの間に、前記入力装置を介して、数字、英文字、及び、符号のうちの少なくとも１つを含む識別符号を入力する管理者入力ステップを、設け、
前記管理識別符号は、前記管理者入力ステップにおいて入力された識別符号であることを特徴とする識別符号管理方法。
【請求項３】
請求項１記載の識別符号管理方法において、
前記管理識別符号は、前記演算装置によって、前記メモリにて予め記憶された識別符号を順番に読み出すことによって設定されたものであることを特徴とする識別符号管理方法。
【請求項４】
請求項１記載の識別符号管理方法において、
前記入力装置は、少なくともＩＣカードリーダと数字キーを含み、
前記第１の入力ステップにて、該ＩＣカードリーダによってＩＣカードの製造番号を読み取ることによって前記識別符号を入力する場合には、前記登録識別符号は、前記ＩＣカードリーダによって読み取られたＩＣカードの製造番号であり、該テンキーを介した数字列の入力によって前記識別符号を入力する場合には、前記登録識別符号は、前記数字キーによって入力された数字列であることを特徴とする識別符号管理方法。
【請求項５】
請求項１記載の識別符号管理方法において、
前記出力ステップでは、前記管理識別符号と共に、前記第２の入力ステップにて識別符号が入力された日時が出力されることを特徴とする識別符号管理方法。
【請求項６】
請求項１記載の識別符号管理方法において、
前記第１の入力ステップと前記第２の入力ステップにて入力された識別符号をディスプレイ装置に表示することを特徴とする識別符号管理方法。
【請求項７】
請求項１記載の識別符号管理方法において、
前記検索ステップにて、前記演算装置によって、前記メモリに記憶された前記登録識別符号のうち、前記第２の入力ステップによって入力された識別符号と同一の登録識別符号を検索することができなかった場合には、
前記演算装置によって、前記識別符号入力ステップにて入力した識別符号を、前記メモリに仮登録識別符号として仮登録する仮登録ステップと、
前記演算装置によって、前記仮登録ステップにて仮登録された仮識別符号を前記メモリに本登録する本登録ステップと、
を実行することを特徴とする識別符号管理方法。
【請求項８】
複数の端末装置と管理サーバを用いて、管理者が利用者である個人に対して設定した識別符号と該利用者が自身に対して設定した識別符号を管理する識別符号管理方法において、
前記端末装置の１つを介して、数字、英文字、及び、符号のうちの少なくとも１つを含む識別符号を入力し、該識別符号を前記端末装置から前記管理サーバに送信する識別符号入力ステップと、
前記管理サーバの演算装置によって、前記識別符号入力ステップにて入力した識別符号と同一の登録識別符号を前記管理サーバのメモリから検索する検索ステップと、
前記管理サーバの演算装置によって、前記検索ステップにて検索された登録識別符号に関連付けられた管理識別符号を読み出す読出しステップと、
前記管理サーバによって、前記読出しステップにて読み出した管理識別符号を出力する出力ステップと、
を含むことを特徴とする識別符号管理方法。
【請求項９】
請求項８記載の識別符号管理方法において、
前記識別符号入力ステップは、キーボード、ＩＣカードリーダ、磁気カードリーダ、及び、バーコードリーダの少なくとも１つを含む入力装置を介して、前記識別符号が入力さることを特徴とする識別符号管理方法。
【請求項１０】
請求項８記載の識別符号管理方法において、
前記端末装置の１つを介して、数字、英文字、及び、符号のうちの少なくとも１つを含む識別符号を入力し、該識別符号を前記端末装置から前記管理サーバに送信する第１の入力ステップと、
前記端末装置の１つによって、前記第１の入力ステップにて入力した識別符号（以下に「登録識別符号」と称する）と、所定の識別符号（以下に「管理識別符号」と称する）を関連付けて記憶する登録ステップと、
を有することを特徴とする識別符号管理方法。
【請求項１１】
請求項１０記載の識別符号管理方法において、
前記登録ステップにて記憶された前記登録識別符号と前記管理識別符号の対は、前記第１の入力ステップにて識別符号が入力された前記端末装置以外の端末装置に送信されることを特徴とする識別符号管理方法。
【請求項１２】
端末装置を有し、管理者が利用者である個人に対して設定した識別符号と該利用者が自身に対して設定した識別符号を管理する識別符号管理システムにおいて、
前記端末装置は、
数字、英文字、及び、符号のうちの少なくとも１つを含む識別符号を入力するための入力装置と、該入力装置を介して入力された識別符号を記憶するメモリと、検索及び演算を行なう演算装置と、数字、英文字、及び、符号のうちの少なくとも１つを含む識別符号を出力するための出力装置と、を有し、
前記メモリには、利用者によって設定された登録識別符号と管理者によって設定された管理識別符号が関連付けて保存されており、前記入力装置を介して、数字、英文字、及び、符号のうちの少なくとも１つを含む識別符号が入力されたとき、前記演算装置は、前記メモリより、該入力装置を介して入力された識別符号と同一の登録識別符号を検索し、更に該検索した登録識別符号に関連付けられた管理識別符号を読出し、該読み出した管理識別符号を、前記出力装置を介して出力することを特徴とする識別符号管理システム。
【請求項１３】
請求項１２記載の識別符号管理システムにおいて、
前記入力装置は、キーボード、ＩＣカードリーダ、磁気カードリーダ、及び、バーコードリーダの少なくとも１つを含むことを特徴とする識別符号管理システム。
【請求項１４】
請求項１２記載の識別符号管理システムにおいて、
前記入力装置を介して前記識別符号が入力されたとき、前記演算装置は、前記識別符号（以下に「登録識別符号」と称する）を所定の識別符号（以下に「管理識別符号」と称する）に関連付けて前記メモリに保存することを特徴とする識別符号管理システム。
【請求項１５】
請求項１２記載の識別符号管理システムにおいて、
前記入力装置を介して数字、英文字、及び、符号のうちの少なくとも１つを含む識別符号が入力され、更に、前記入力装置を介して数字、英文字、及び、符号のうちの少なくとも１つを含む識別符号が入力されたとき、前記演算装置は、前記識別符号の一方を登録識別符号として、前記メモリに登録し、前記識別符号の他方を管理識別符号として、前記メモリに登録し、前記登録識別符号と前記管理識別符号を関連付けて前記メモリに保存することを特徴とする識別符号管理システム。
【請求項１６】
請求項１２記載の識別符号管理システムにおいて、
前記識別符号管理システムは、互いに接続された複数の端末装置を有し、前記端末装置の１つにおいて、前記メモリに保存された、前記関連付けられた前記登録識別符号と前記管理識別符号の対が変更されたとき、他の前記端末装置の前記メモリに保存された、前記関連付けられた前記登録識別符号と前記管理識別符号の対も変更されることを特徴とする識別符号管理システム。
【請求項１７】
請求項１２記載の識別符号管理システムにおいて、
前記出力装置を介して、前記管理識別符号と共に、前記第２の入力ステップにて識別符号が入力された日時が出力されることを特徴とする識別符号管理システム。
【請求項１８】
請求項１２記載の識別符号管理システムにおいて、
前記出力装置を介して、前記管理識別符号と共に、前記端末装置の位置情報が出力されることを特徴とする識別符号管理システム。
【請求項１９】
請求項１２記載の識別符号管理システムにおいて、前記入力装置を介して前記識別符号が入力されたとき、該識別符号を表示するディスプレイ装置が設けられていることを特徴とする識別符号管理システム。
【請求項２０】
管理サーバと、該管理サーバに接続された少なくとも１つの端末装置と、を有し、管理者が利用者である個人に対して設定した識別符号と該利用者が自身に対して設定した識別符号を管理する識別符号管理システムにおいて、
前記端末装置の各々は、数字、英文字、及び、符号のうちの少なくとも１つを含む識別符号を入力するための入力装置を有し、
前記管理サーバは、管理者が設定した識別符号と利用者が設定した識別符号を関連付けて保存するメモリと、検索及び演算を行なう演算装置と、数字、英文字、及び、符号のうちの少なくとも１つを含む識別符号を出力するための出力装置と、を有し、
前記演算装置は、前記端末装置の１つから識別符号が送信されたとき、前記メモリから前記識別符号と同一の識別符号を検索し、該検索した識別符号に関連付けられた管理識別符号を読出し、該読み出した管理識別符号を前記出力装置を介して出力することを特徴とする識別符号管理システム。
【請求項２１】
請求項２０記載の識別符号管理システムにおいて、
前記入力装置は、キーボード、ＩＣカードリーダ、磁気カードリーダ、及び、バーコードリーダの少なくとも１つを含むことを特徴とする識別符号管理システム。
【発明の詳細な説明】
【技術分野】
【０００１】
本発明は、利用者の識別符号を管理する識別符号管理システムに関する。
【背景技術】
【０００２】
近年、個人を識別するための識別符号が様々な分野で使用されている。また、個人の識別符号を格納したＩＣカード、磁気カード等も広く用いられている。識別符号は、例えば、１１〜１６桁の数字及び英文字（アルファベット）からなる。このような識別番号は、通常、管理者によって個人に付与される。即ち、管理者にとって使い勝手が良いように設定されている。本人は、カードを用いるため、識別符号を覚える必要がない。
【０００３】
しかしながら、このようなシステムでは、カードを持っていないと、管理者が提供するサービスを受けることができない。
例えば、顧客にポイントカードを付与し、買い物毎にポイントを加算するシステムが知られている。このようなシステムでは、ポイントカードを忘れた場合には、ポイントを加算することができない。そのため、利用者は、常にポイントカードを携帯している必要があり、不便である。
【先行技術文献】
【特許文献】
【０００４】
【特許文献１】特開２００８−９７２０７号
【発明の概要】
【発明が解決しようとする課題】
【０００５】
特許文献１には、利用者がＩＣカードを忘れた場合に、一時的にＩＣカードを貸与するシステムの例が記載されている。しかしながら、このシステムでは、ＩＣカードの貸与と回収が必要であり、不便である。
【０００６】
本発明の目的は、カード等を携帯していなくとも、利用者が、自身を識別することができるシステムを提供することにある。
【課題を解決するための手段】
【０００７】
本発明によると、管理者が設定する管理識別符号と、利用者が登録した登録識別符号をリンクさせて保存する。利用者が、登録識別符号を入力すると、管理者システムには、管理識別符号が出力される。
【発明の効果】
【０００８】
本発明によると、予め決められたカード等を携帯していなくとも、利用者が、自身を識別することができる。
【図面の簡単な説明】
【０００９】
【図１】本発明による識別符号管理システムの第１の例を説明する図である。
【図２】本発明による識別符号管理システムの第２の例を説明する図である。
【図３】本発明による識別符号管理システムの第３の例を説明する図である。
【図４】本発明による識別符号管理システムにおいて、識別符号の登録処理を説明する図である。
【図５】本発明による識別符号管理システムのエリアス機能の第１の例を説明する図である。
【図６】本発明による識別符号管理システムのエリアス機能の第２の例を説明する図である。
【図７】本発明による識別符号管理システムのメモリに登録されたデータの例を示す図である。
【図８】本発明による識別符号管理システムに接続された管理者システムにて管理しているデータの例を示す図である。
【図９】本発明による識別符号管理システムの第４の例を説明する図である。
【発明を実施するための形態】
【００１０】
図１を参照して、本発明による識別符号管理システムの第１の例を説明する。本例の識別符号管理システムは、端末装置１０によって構成されている。端末装置１０には、少なくとも１つの入力装置１１とディスプレイ装置１２が接続されている。端末装置１０は、入力インターフェース１０１、演算装置（ＣＰＵ）１０２、出力インターフェース１０３、メモリ１０４、及び、クロック１０５を有する。
【００１１】
入力装置１１は、利用者が識別符号を入力するための装置であり、例えば、キーボード、数字キー、ＩＣカードリーダ、磁気カードリーダ、バーコードリーダ等を含む。更に、入力装置１１は、ＵＳＢメモリ、携帯電話、携帯端末等であってよい。本例によると、これらの各種の入力装置１１は、入力インターフェース１０１を介して端末装置１０に接続されることができる。
【００１２】
管理者システム３０は、出力インターフェース１０３を介して端末装置１０に接続されている。管理者システム３０は、識別符号管理システムの管理者が有するものであり、例えば、管理者が有するパーソナルコンピュータであってよい。端末装置１０は、少なくとも、演算装置（ＣＰＵ）１０２及びメモリ１０４を有する装置であればどのような装置であってもよく、例えば、小型のコンピュータであってもよい。
【００１３】
クロック１０５は年月日及び時刻を生成する。メモリ１０４は、端末装置１０の電源が切断されてもデータを保持することができる記憶装置であればどのようなものであってもよい。
【００１４】
本発明による識別符号管理システムの構成要素の動作及び処理は、以下に詳細に説明するが、ここでは、識別符号管理システムの概要を説明する。本例の識別符号管理システムでは、利用者は、先ず、任意の識別符号を登録する。識別符号の登録処理の詳細は、後に図４を参照して説明する。次に、管理者は、この利用者に対して任意の識別符号を付与する。ここで、利用者が登録した識別符号ＩＤと管理者が設定した識別符号ＩＤを区別するために、前者を登録識別符号ＩＤｒと称し、後者を管理識別符号ＩＤｍと称することとする。登録識別符号ＩＤｒと管理識別符号ＩＤｍは関連付けて、メモリ１０４に保存される。こうして登録処理が完了すると、それ以後、利用者は、自己を識別する識別符号として、登録識別符号ＩＤｒを入力する。管理者は、利用者を識別する識別符号として、管理識別符号ＩＤｍを用いる。
【００１５】
例えば、管理者が商店主、利用者が顧客の場合を説明する。商店主は、顧客が買い物をした毎にポイントを付与する制度を実行するものとする。端末装置１０は、商店の店頭に設置する。管理者システム３０は、商店主が保有するパーソナルコンピュータであり、端末装置１０に接続されている。先ず、登録処理を行なう。顧客は、入力装置１１を介して任意の識別符号を入力する。商店主は、その顧客に対して、識別番号を設定する。登録識別符号ＩＤｒと管理識別符号ＩＤｍは関連付けて、メモリ１０４に保存される。顧客は、買い物毎に、入力装置１０を介して、登録識別符号ＩＤｒを入力する。端末装置１０は、管理識別符号ＩＤｍにクロック１０５から得られた日時を付加して、商店主のパーソナルコンピュータ、即ち、管理者システム３０に出力する。管理者システム３０は、日時と共に、管理識別符号ＩＤｍの入力を得る。管理者は、端末装置１０から管理識別符号ＩＤｍとそれが入力された日時より、顧客の管理を行なう。例えば、管理識別符号ＩＤｍの入力毎に、ポイントを加算し、顧客のポイントが所定の値に達したら、その顧客の特定のサービスを提供する。
【００１６】
本例では、端末装置１０から管理者システム３０に、日時と共に管理識別符号ＩＤｍを出力する。端末装置１０から管理者システム３０に、例えば、顧客の買い物の金額を出力する動作については特に説明していない。しかしながら、商店主が、入力装置１１を介して、顧客の買い物の金額を入力することができる。更に、管理者システム３０と店頭のキャッシュレジスタが接続されている場合には、管理者システム３０は、端末装置１０から管理識別符号ＩＤｍを入力する毎に、キャッシュレジスタに、顧客の買い物の金額を問い合わせてもよい。
【００１７】
本発明によると、利用者は、任意の識別番号を、登録識別符号ＩＤｒとして登録することができる。一方、管理者は、任意の、即ち、所望の識別符号を、利用者を識別するための管理識別符号として、用いることができる。従って、本例の識別符号管理システムでは、管理者は既存の識別符号システムを利用することができる。
【００１８】
図４を参照して、識別符号の登録処理を説明する。ステップＳ１０１にて、利用者は、入力装置１１を介して、任意の識別符号ＩＤｒを入力する。こうして入力した識別符号が登録識別符号ＩＤｒとなる。識別符号を入力する方法の例を説明する。入力装置１１として、キーボード、数字キー等を用いる場合には、利用者は、任意の、即ち、所望の符号を用いることができる。例えば、携帯電話の番号、固定電話の電話番号、生年月日、住所、ニックネーム、好みの動物名、好みの俳優名等、どのようなものであってよい。利用者は、覚えやすい、忘れにくい、容易に再現可能な識別符号を選ぶことができる。入力装置１１を介して入力した識別符号ＩＤｒはディスプレイ装置１２に表示される。利用者は、ディスプレイ装置１２に表示された識別符号ＩＤｒを見て、入力した識別符号を確認することができる。
【００１９】
入力装置１１として、ＩＣカードリーダを用いる場合には、ＩＣカードの製造番号が、登録識別符号となる。ＩＣカードをＩＣカードリーダに近づける。ＩＣカードリーダは、ＩＣカードの製造番号を読み出し、出力する。ＩＣカードの製造番号は、ディスプレイ装置１２に表示される。
【００２０】
入力装置１１として、磁気カードリーダを用いる場合には、磁気カードの製造番号が、登録識別符号となる。磁気カードを磁気カードリーダに近づける。磁気カードリーダは、磁気カードの製造番号を読み出し、出力する。磁気カードの製造番号は、ディスプレイ装置１２に表示される。
【００２１】
入力装置１１として、バーコードリーダを用いる場合には、バーコードが、登録識別符号となる。バーコードをバーコードリーダに近づける。バーコードリーダは、バーコードを読み出し、出力する。バーコードは、ディスプレイ装置１２に表示される。
【００２２】
演算装置（ＣＰＵ）１０２は、入力された識別符号が、既に登録されているか否かを判定する。入力された識別符号と同一の識別符号が登録されていない場合に、ステップＳ１０２に進む。入力された識別符号と同一の識別符号が既登録である場合にはディスプレイ装置１２にその旨を表示し、識別符号の再入力を促すように構成してよい。こうして、同一識別符号の２重登録が回避される。尚、ここでは、他人の識別符号との重複登録ばかりでなく、自身の識別符号との重複登録を防止することができる。
【００２３】
ステップＳ１０２にて、登録識別符号ＩＤｒと管理識別符号ＩＤｍをリンクさせる。２つの識別符号をリンクさせる方法を説明する。先ず、第１の方法を説明する。第１の方法では、利用者が入力装置１１を介して登録識別符号ＩＤｒを入力した後に、管理者が入力装置１１を介して管理識別符号ＩＤｍを入力する。こうして２つの識別符号が順に入力されると、演算装置（ＣＰＵ）１０２は、２つの識別符号の対を作成する。ディスプレイ装置には、２つの識別符号の対が生成されたことを示す文章が表示されてよい。尚、登録識別符号ＩＤｒを入力した後に、所定の時間内に、管理識別符号ＩＤｍが入力されないと、登録識別符号ＩＤｒの入力がキャンセルされるように構成してもよい。
【００２４】
第２の方法では、管理者が用意した管理識別符号を、順番に、利用者に付与する。管理者が用意した管理識別符号には、予め順番が決められている。利用者が、入力装置１１を介して登録識別符号ＩＤｒを入力すると、それに対して、管理識別符号が自動的に割り当てられる。こうして、２つの識別符号が決まると、演算装置（ＣＰＵ）１０２は、２つの識別符号の対を作成する。
【００２５】
ステップＳ１０３にて、登録識別符号ＩＤｒと管理識別符号ＩＤｍの対をメモリ１０４に登録する。このとき、２つの識別符号の対ＩＤｒ／ＩＤｍに、クロック１０５から得られた日時を付加してもよい。
【００２６】
図７を参照して、メモリ１０４に登録された２つの識別符号の対の例を示す。図示のように、このデータは、管理識別符号の欄７０１、登録識別符号の欄７０２、及び、登録年月日の欄７０３を含む。管理識別符号ＩＤｍは、管理者が任意に設定した識別符号系である。図示の例では、アルファベットの２文字と９桁の数字からなる。登録識別符号ＩＤｒは、利用者が任意に選択した、又は、入力した識別符号である。図示の例では、携帯電話番号、固定電話番号、生年月日、好みの有名人の名前、ニックネーム、飼い犬の名前、ＩＣカードの製造番号等である。
【００２７】
図８は、管理者システム３０にて管理している顧客の個人情報のデータの例である。このデータは、管理識別符号の欄８０１、氏名の欄８０２、住所の欄８０３、生年月日の欄８０４、性別の欄８０５を含む。このように、管理者システム３０では、管理識別符号を用いて、顧客の個人データを管理している。従って、管理者システムに。管理識別符号ＩＤｍが入力されると、それによって、その顧客に関するデータは得られる。例えば、管理識別符号ＩＤｍが入力される毎に、その顧客のポイントを１ポイントづつ増加させる。ポイントが所定の値に達すると、例えば、特定のサービスを提供する。こうして本例では、顧客の管理が可能となる。尚、管理識別符号ＩＤｍが入力される毎に、管理者システム３０から端末装置１０又は店頭に設置されたキャッシュレジスタに、売上金額を問い合わせてもよい。
【００２８】
図５を参照して、本発明による識別符号管理システムのエリアス機能の第１の例を説明する。本例のエリアス機能を実行する場合には、図４にて説明した登録処理が完了しているものとする。ステップＳ２０１にて、利用者は、入力装置１１を介して、登録識別符号ＩＤｒを入力する。ここでは、利用者は、識別符号の登録処理と同様な方法で、登録識別符号を入力する。例えば、識別符号の登録処理のとき、入力装置１１として、キーボード、数字キー等を用いた場合には、このステップＳ２０１でも、利用者は、キーボード、数字キー等を用いて、登録識別符号を入力する。上述のように、利用者は、登録識別符号として、思い出し易い、任意の符号を用いている。従って、利用者は、容易に、登録識別符号を入力することができる。
【００２９】
識別符号の登録処理のとき、入力装置１１として、ＩＣカードリーダを用いた場合には、ここでも同様に、ＩＣカードリーダを用いることができる。即ち、ＩＣカードをＩＣカードリーダに近づける。ＩＣカードリーダは、ＩＣカードの製造番号を読み出す。入力した登録識別符号ＩＤｒは、ディスプレイ装置に表示される。ユーザは、入力した登録識別符号ＩＤｒを、ディスプレイ装置の画面にて確認することができる。
【００３０】
ステップＳ２０２にて、端末装置１０の演算装置（ＣＰＵ）１０２は、メモリ１０４を検索し、ステップＳ２０１にて入力された登録識別符号ＩＤｒを含む、識別符号の対ＩＤｒ／ＩＤｍを探しだす。ステップＳ２０３にて、端末装置１０は、探し出した識別符号の対ＩＤｒ／ＩＤｍより、管理識別符号ＩＤｍを読み出す。更に、演算装置（ＣＰＵ）１０２は、クロック１０５より、日時を読み出す。端末装置１０は、こうして読み出した管理識別符号ＩＤｍと日時を出力する。
【００３１】
図２を参照して、本発明による識別符号管理システムの第２の例を説明する。本例の識別符号管理システムは、複数の端末装置１０Ａ、１０Ｂ、１０Ｃを有する。これらの端末装置は、通信ネットワーク４０を介して、又は直接、管理者システム３０に接続されている。ここでは、３つの端末装置１０Ａ、１０Ｂ、１０Ｃが図示されているが、これは単なる例示である。３つ以外の数の端末装置が接続されてよい。各端末装置には、図１の例と同様に、各種の入力装置１１Ａ、１１Ｂ、１１Ｃが接続されることができる。尚、各端末装置には、ディスプレイ装置がそれぞれ接続されてよい。各端末装置の構造は、図１にて示した端末装置１０の構造と同様であってよい。本例では、管理者システム３０にメモリ３１が設けられている。このメモリ３１は、端末装置１０に設けられたメモリ１０４と同様の機能を有する。
【００３２】
ここで、本例の識別符号管理システムにおける識別符号の登録処理を説明する。利用者は、任意の端末装置にて、図４を参照して説明した識別符号の登録処理を行なう。それによって、その端末装置のメモリ１０４に保存されたデータは変更される。即ち、メモリ１０４に、新たな識別符号の対ＩＤｒ／ＩＤｍが追加される。変更後のデータは、通信ネットワーク４０を経由して、管理者システム３０へ送信される。管理者システム３０では、送信されたデータによって、メモリ３１に保存されているデータを更新する。即ち、メモリ３１に、新たな識別符号の対ＩＤｒ／ＩＤｍが追加される。管理者システム３０は、次に、更新したデータを、他の全ての端末装置に送信する。
【００３３】
例えば、第１の端末装置１０Ａにて、利用者が、識別符号の登録処理を行なったものとする。第１の端末装置１０Ａのメモリ１０４にて、新たな識別符号の対ＩＤｒ／ＩＤｍが追加される。第１の端末装置１０Ａのメモリ１０４における更新後のデータは、管理者システム３０に送信される。管理者システム３０に設けられたメモリ３１に保存されたデータは、更新される。次に、更新されたデータは、第２及び第３の端末装置１０Ｂ、１０Ｃに送信される。第２及び第３の端末装置１０Ｂ、１０Ｃでは、メモリ１０４に新たな識別符号の対ＩＤｒ／ＩＤｍが追加される。
【００３４】
利用者は、任意の端末装置にて、図４を参照して説明した識別符号の登録処理を行なうことができる。こうして、１つの端末装置にて行なわれた識別符号の登録処理は、他の全ての端末装置においても有効となる。本例では、１つの端末装置にてメモリに保存されたデータが変更又は更新された場合には、他の端末装置のメモリに保存されたデータも変更又は更新される。
【００３５】
本発明による識別符号管理システムのエリアス機能は、図５を参照して説明したエリアス機能と同様である。利用者は任意の端末装置より、図５のエリアス機能を実行することができる。
【００３６】
図３を参照して、本発明による識別符号管理システムの第３の例を説明する。本例の識別符号管理システムは、複数の端末装置１０Ａ、１０Ｂ、１０Ｃと管理サーバ２０を有する。これらの端末装置は、通信ネットワーク４０を介して、又は直接、管理サーバ２０に接続されている。管理サーバ２０は管理者システム３０に接続されている。ここでは、３つの端末装置１０Ａ、１０Ｂ、１０Ｃが図示されているが、これは単なる例示である。３つ以外の数の端末装置が接続されてよい。各端末装置には、図１の例と同様に、各種の入力装置１１Ａ、１１Ｂ、１１Ｃが接続されることができる。尚、各端末装置には、ディスプレイ装置がそれぞれ接続されてよい。
【００３７】
管理サーバ２０は、入力インターフェース２０１、演算装置（ＣＰＵ）２０２、出力インターフェース２０３、及び、メモリ２０４を有する。管理者システム３０は、出力インターフェース２０３を介して管理サーバ２０に接続されている。管理者システム３０及び管理サーバ２０は、識別符号管理システムの管理者が有するものであり、例えば、管理者が有するパーソナルコンピュータであってよい。
【００３８】
本例では、端末装置１０は、入力装置を介して入力された登録識別符号ＩＤｒを日時Ｔと共に管理サーバ２０に送信する機能を有すればよい。
【００３９】
本例の識別符号管理システムでは、図４を参照して説明した識別符号の登録処理は、管理サーバ２０にて行なわれる。更に、図５を参照して説明したエリアス機能は、管理サーバ２０にて行なわれる。
【００４０】
図６を参照して、本発明による識別符号管理システムのエリアス機能の第２の例を説明する。ステップＳ３０１にて、利用者は、入力装置１１を介して、識別符号を入力する。ステップＳ３０１の識別符号の入力処理は、図５のステップＳ２０１の登録識別符号ＩＤｒの入力処理と同様であってよい。入力した登録識別符号ＩＤｒはディスプレイ装置に表示される。ステップＳ３０２にて、演算装置１０２、２０２は、ステップＳ３０１にて入力した識別符号が、メモリ１０４、２０４に登録されているか否かを判定する。即ち、入力した識別符号を含む識別符号の対がメモリ１０４、２０４に保存されているか否かを判定する。入力した識別符号が、メモリ１０４、２０４に登録されていない場合にはステップＳ３０３に進み、入力した識別符号が、メモリ１０４、２０４に登録されている場合にはステップＳ３０６に進む。
【００４１】
ステップＳ３０３にて、演算装置１０２、２０２は、仮管理識別符号ＩＤｍｐを発行する。仮管理識別符号ＩＤｍｐは、他人に既に付与した管理識別符号と異なることが必要である。即ち、既に他人に付与した管理識別符号を使用することはできない。そこで、仮管理識別符号ＩＤｍｐに使用する識別符号の種類を、管理識別符号に使用する識別符号の種類と異なるようにすれがよい。例えば、図７に示したように、管理識別符号ＩＤｍとして、アルファベットの２文字と９桁の数字の組み合わせを用いる場合には、例えば、アルファベットの１文字と９桁の数字の組み合わせを、仮管理識別符号ＩＤｍｐとして使用してよい。仮管理識別符号ＩＤｍｐに使用する識別符号の種類が、管理識別符号に使用する識別符号の種類と同一である場合には、未だ他人に付与していない管理識別符号を用いればよい。
【００４２】
ステップＳ３０４にて、ステップＳ３０１にて入力した識別符号と仮管理識別符号ＩＤｍｐの対を生成する。
ステップＳ３０５にて、本登録を行なう。先ず、演算装置（ＣＰＵ）１０２、２０２は、ステップＳ３０１にて入力した識別符号が、既に登録されているか否かを判定する。入力された識別符号と同一の識別符号が登録されていない場合に、本登録を行う。入力された識別符号と同一の識別符号が既登録である場合には、以下の本登録の処理は行わない。こうして、同一識別符号の２重登録が回避される。
【００４３】
本登録では、ステップＳ３０１にて入力した識別符号を登録識別符号ＩＤｒとし、仮管理識別符号ＩＤｍｐの代わりに管理識別符号ＩＤｍを用いる。登録識別符号ＩＤｒと管理識別符号ＩＤｍの対を生成し、それをメモリ１０４に保存する。
ステップＳ３０６〜ステップＳ３０７は、図５のステップＳ２０２〜ステップＳ２０３と同様である。
【００４４】
本例では、未登録の識別符号が入力された場合に、識別符号の登録処理を行なうことなく、その代わりに仮登録を行なう。エリアス機能の第２の例は、図１に示した単一の端末装置を有する識別符号管理システムの場合に適用可能であるが、図２及び図３に示した複数の端末装置を有する識別符号管理システムの場合にも適用可能である。例えば、図２の例において、利用者が、任意の端末装置にて識別符号の登録を行なっているにも拘らず、他の端末装置には、未だ、それが反映されていない場合を想定する。この場合、利用者が、任意の端末装置にて識別符号の登録処理を行なうと、２重の登録となる。本例では、このような２重登録を防止することができる。
【００４５】
図９を参照して、本発明による識別符号管理システムの第４の例を説明する。本例の識別符号管理システムは、図１に示した第１の例と比較して、端末装置１０にＧＰＳ装置１０６が設けられている点が異なる。本例によると、端末装置１０は、管理識別符号ＩＤｍと日時Ｔと位置情報Ｐを出力する。位置情報Ｐは、ＧＰＳ装置１０６によって得られた、端末装置１０の緯度及び経度である。即ち、利用者が、入力装置１１を介して、登録識別符号ＩＤｒを入力すると、端末装置１０は、管理者システム３０に、管理識別符号ＩＤｍと日時Ｔと端末装置１０の位置情報Ｐを出力する。
【００４６】
図２及び図３に示すように複数の端末装置を含む識別符号管理システムの場合、管理者システム３０は、管理識別符号ＩＤｍと日時Ｔの入力だけでは、どの端末装置からの入力であるかを知ることができない。本例では、管理者システム３０は、利用者の管理識別符号ＩＤｍと日時Ｔばかりでなく、利用者が入力した端末装置１０の位置を知ることができる。従って、管理者は、本例の識別符号管理システムを用いて、様々な顧客管理を行なうことができる。
【００４７】
本発明の識別符号管理システムでは、基本的には、利用者が入力装置を介して登録識別符号を入力すると、端末装置から管理者システムに、その利用者に付与した管理識別符号が出力される。従って、利用者が、どの端末装置の入力装置を介して登録識別符号を入力したかの情報を得るものではない。しかしながら、どの端末装置からの入力であるかが判れば、管理者はより多くの情報を得ることができる。従って、図９の例では、端末装置の位置情報を管理者システムに出力する。しかしながら、端末装置の位置情報の代わりに、端末装置の識別符号、例えば、端末装置の製造番号等を管理者システムに出力するように構成してもよい。
【００４８】
以上本発明の例を説明したが本発明は上述の例に限定されるものではなく、特許請求の範囲に記載された発明の範囲にて様様な変更が可能であることは当業者に容易に理解されよう。
【符号の説明】
【００４９】
１０、１０Ａ、１０Ｂ、１０Ｃ…端末装置、１１、１１Ａ、１１Ｂ、１１Ｃ…入力装置、２０…管理サーバ、３０…管理者システム、１０１…入力インターフェース、１０２…ＣＰＵ、１０３…出力インターフェース、１０４…メモリ、１０５…クロック、２０１…入力インターフェース、２０２…ＣＰＵ、２０３…出力インターフェース、２０４…メモリ
【図１】
2010182121.tif 000003
【図２】
2010182121.tif 000004
【図３】
2010182121.tif 000005
【図４】
2010182121.tif 000006
【図５】
2010182121.tif 000007
【図６】
2010182121.tif 000008
【図７】
2010182121.tif 000009
【図８】
2010182121.tif 000010
【図９】
2010182121.tif 000011